(57)【要約】      （修正有）【課題】ゴミ箱本体の共通化が可能で投入口形状を分別回収ゴミの種類に応じて容易に交換できるゴミ箱の提供を目的とする。【解決手段】ゴミの投入口に着脱自在に蓋部１０を取り付け、分別投入されるゴミの種類に応じて蓋部を取り外したり、所定の形状の開口部を有する蓋部を交換自在にした。【選択図】図２
0003100788.tif 000002
【実用新案登録請求の範囲】
【請求項１】
ゴミの投入口に着脱自在に蓋部を取り付け、分別投入されるゴミの種類に応じて蓋部を取り外したり、所定の形状の開口部を有する蓋部に交換自在にしたことを特徴とするゴミ箱。
【請求項２】
前記蓋部の一端に連結ピンを形成し、蓋部を着脱するゴミ箱本体の開口部の縁部に、前記蓋部連結ピンの挿入孔を形成し、蓋部の連結ピンをゴミ箱本体の当該挿入孔に挿入するだけで当該蓋部の自重にて前記ゴミ箱本体の開口部に取り付けられるようにしたことを特徴とする請求項１記載のゴミ箱。
【考案の詳細な説明】
【技術分野】
【０００１】
本考案は、分別回収に適したゴミ箱に関する。
【背景技術】
【０００２】
ゴミを分別収集する資源のリサイクル化が普及しつつある。
ガソリンスタンドや高速道路サービスエリア等においても、複数のゴミ箱を併設しているところが多い。
ゴミには一般可燃物、不燃物、空き缶、ペットボトル等多くの種類があり、これらゴミの種類に応じてゴミ箱のゴミ投入口の形状を変えることにより、分別回収がしやすいように工夫されている場合も多い。
例えば飲料空き缶の場合には、空き缶サイズに合わせた円形状のゴミ投入口として空き缶専用のゴミ箱であることを外観上明らかにし、また、飲料空き缶しか投入しにくくする一面もある。
ペットボトルの場合には、飲料空き缶用ゴミ箱より大き目の形状の円形投入口にし、一般可燃物に対しては略方形の大きい投入口にする等、分別回収しやすいように各種工夫がなされている。
【０００３】
このように、分別回収には複数のゴミ箱を併設する必要がある。
そこで、実開平６−６１８０２号公報には複数のゴミ箱（容器）を上下に連結配置した技術が開示されている。
しかし、発生するゴミの種類は場所や季節により大きく変動する性質があり、例えば行楽シーズンには大きな一般可燃物が多く、冬期には空き缶、夏期にはペットボトルが多く発生する傾向がある。
【０００４】
以上のような状況下では分別回収するために、ゴミ投入口形状の異なる複数のゴミ箱を併設する必要があるだけで無く、ゴミ箱の設置場所や季節により種類別の発生割合が異なり、それに対応できるように例えば、空き缶の多い時には空き缶専用の投入口形状を有するゴミ箱の数を増し、一般可燃物の発生が多い時にはその投入口形状を有するゴミ箱の数を増やすことが必要になり、この変動に対応するためには分別回収するためのゴミ箱以上に多くの数のゴミ箱が必要になってしまう。
【０００５】
【特許文献１】実開平６−６１８０２号公報
【考案の開示】
【考案が解決しようとする課題】
【０００６】
本考案は上記技術的背景に鑑みて、ゴミ箱本体の共通化が可能で投入口形状を分別回収ゴミの種類に応じて容易に交換できるゴミ箱の提供を目的とする。
【課題を解決するための手段】
【０００７】
本考案の技術的要旨は、ゴミの投入口に着脱自在に蓋部を取り付け、分別投入されるゴミの種類に応じて蓋部を取り外したり、所定の形状の開口部を有する蓋部に交換自在にした点にある。
【０００８】
そのような対策の１つとして、前記蓋部の一端に連結ピンを形成し、蓋部を着脱するゴミ箱本体の開口部の縁部に、前記蓋部連結ピンの挿入孔を形成し、蓋部の連結ピンをゴミ箱本体の当該挿入孔に挿入するだけで当該蓋部の自重にて前記ゴミ箱本体の開口部に取り付けられるようにした。
【０００９】
ここで、分別投入されるゴミの種類に応じて蓋部を取り外したり、所定の形状の開口部を有する蓋部に交換自在にしたとは、例えばゴミ箱本体を略直方体に形成し、その上部に略矩形形状の投入口を形成し、一般可燃物を対象にする場合には大きいゴミも投入しやすいようにそのまま使用し、ゴミ箱を空き缶用に変更したい場合には、円形形状の投入口にした開口部を有する蓋部を上記ゴミ箱本体の矩形形状の投入口（開口部）に取り付けることをいう。
【００１０】
交換自在に蓋部をゴミ箱本体に取り付ける方法は各種構造が適用されるが、出来るだけ簡単に、ワンタッチで交換できるのが作業性上好ましい。
その点で、上記のように蓋部の一端に連結ピンを形成し、ゴミ箱本体の開口部（ゴミ投入口を兼ねる）にピン挿入孔を設けて、このピン部の挿入連結だけで蓋部の取り付け、取り外しが出来るのが好ましい。
【考案の効果】
【００１１】
本考案においては、ゴミ箱本体の開口部をゴミ投入口とし、ゴミ箱本体のゴミ投入口に取り付けられる蓋部を形成し、この蓋部に空き缶等のリサイクルゴミ投入口を形成したことにより、ゴミ箱本体の共通化が可能になり、ゴミ箱の設置場所や季節、時期変動に対応して容易に分別回収の対象を変更できるので、ゴミ箱を効率良く活用できる。
【考案を実施するための最良の形態】
【００１２】
図１にゴミ箱本体の例を示す。
略直方体のゴミ箱本体１の前面には、開閉扉３の一端が蝶番４等で取り付けられ、反対側に開閉ロック５が設けられていて、ゴミ箱内のゴミを取り出すことが出来るようになっている。
ゴミ箱の底部には、設置場所の傾斜や凹凸を吸収すべくアジャスター６が取り付けられている。
【００１３】
ゴミ箱本体１の上部１ａには、ゴミを投入しやすいように後部から前方に向けて下方向に傾斜させたゴミ投入口（開口部）２が形成され、この開口部の上縁と下縁が内側に折り曲げられ、上縁の折り曲げ部には、ピン挿入孔２ａが形成され、図３に示す蓋部１０の一端に形成した連結ピン１３が挿入される。
ここで、本体上部１ａは本体１の上部に嵌着させた構造になっていて、この本体上部１ａを取り外すことでゴミ箱内部の清掃が容易になっている。
図３に示した蓋部１０は、ＳＵＳ板等をプレス曲げして成形されたもので上下の端部１２ａ、１２ｂを折り曲げ、一方に連結ピン１３が溶接等で取り付けられている。
蓋部１０には、回収するゴミの種類に合わせて各種形状の開口部（ゴミ投入口）１１ａ、１１ｂが形成されている。
図３に示した例は、空き缶に合わせた円形形状の例であり、これに限定されるものではない。
【００１４】
図３に例を示したような蓋部１０をゴミ箱本体のゴミ投入口（開口部）２に取り付ける方法を図２に示す。
蓋部の一端に形成した連結ピン１３をゴミ箱本体側の挿入孔２ａに挿し込み、手を離すと矢印の方向に自重で下がり、蓋部の下端の折り曲げ部１２ａがゴミ箱本体の開口部の折り曲げ部２ｂに当接し、蓋部が保持される。
【００１５】
一般可燃ゴミ等比較的大きいゴミを対象とするときは、図１に示すように蓋部なしの状態で使用し、ペットボトルや空き缶を回収するときは、図２のように蓋部を取り付けて使用する。
【図面の簡単な説明】
【００１６】
【図１】ゴミ箱本体の例を示す。
【図２】ゴミ箱本体の開口部に蓋部を取り付ける例を示す。
【図３】蓋部の例を示す。
【符号の説明】
【００１７】
１    ゴミ箱（本体）
１ａ  ゴミ箱本体の上部
２    ゴミ箱本体の投入口（開口部）
２ａ  ピン挿入孔
２ｂ  蓋の受け部
３    扉
４    蝶番
５    ロック
６    アジャスター
１０    蓋部
１１ａ、１１ｂ    ゴミ投入口
１２ａ、１２ｂ    蓋の折り曲げ部
１３    連結ピン
【図１】
0003100788.tif 000003
【図２】
0003100788.tif 000004
【図３】
0003100788.tif 000005